(57)【要約】【課題】会議等においてプレゼンテーションを行う場合に、パーソナルコンピュータに設定されているスクリーンセイバー画像や壁紙が表示されないようにする。【解決手段】プレゼンテーションの途中にユーザが議論等を始め、設定時間だけパーソナルコンピュータ１１の操作が行われなかった場合、PJLinkアプリケーションはスクリーンセイバーの起動を検出し、ＡＶＭＴコマンド（映像、音声ミュート）を液晶プロジェクタ１３に送信する。液晶プロジェクタ１３は、ＡＶＭＴコマンドを受信すると、映像及び音声をミュートする。すなわち、液晶プロジェクタ１３は、パーソナルコンピュータ１１からスクリーンセイバー画像が転送されてきても、それをスクリーン１４に投影しない。【選択図】図１
2008026782.tif 000002
【特許請求の範囲】
【請求項１】
画像データを出力する画像データ出力装置と、
前記画像データ出力装置から転送される画像データを表示する表示装置とを備えた画像表示システムであって、
前記画像データ出力装置は、前記表示装置により表示すべき画像と相関のない画像データを出力するときに、予め定められた情報も出力することを特徴とする画像表示システム。
【請求項２】
前記相関のない画像は、スクリーンセイバー画像又は壁紙であることを特徴とする請求項１に記載の画像表示システム。
【請求項３】
前記予め定められた情報は、前記表示装置を制御するためのコマンドであることを特徴とする請求項１又は２に記載の画像表示システム。
【請求項４】
前記制御コマンドは、前記表示装置による表示を停止させるコマンドであることを特徴とする請求項３に記載の画像表示システム。
【請求項５】
前記制御コマンドは、前記表示装置の入力を切り替えるコマンドであることを特徴とする請求項３に記載の画像表示システム。
【請求項６】
前記制御コマンドは、前記表示装置の電源を制御するコマンドであることを特徴とする請求項３に記載の画像表示システム。
【請求項７】
前記画像データ出力装置は、前記相関のない画像データを出力する予定時刻検出手段を備え、前記予定時刻より前に前記予め定められた情報を出力することを特徴とする請求項１〜６のいずれか１項に記載の画像表示システム。
【請求項８】
画像データを出力する画像データ出力装置と、
前記画像データ出力装置から転送される画像データを表示する表示装置とを備えた画像表示システムであって、
前記画像データ出力装置は、前記表示装置により表示すべき画像と相関のない画像データを出力することになったときに、その相関のない画像データを予め用意された画像データに置き換えて出力することを特徴とする画像表示システム。
【請求項９】
表示装置に画像データを出力する画像データ出力装置であって、
前記表示装置により表示すべき画像と相関のない画像データを出力するときに、予め定められた情報も出力する制御手段を備えたことを特徴とする画像データ出力装置。
【請求項１０】
表示装置に画像データを出力する画像データ出力装置であって、
前記表示装置により表示すべき画像と相関のない画像データを出力することになったときに、その相関のない画像データを予め用意された画像データに置き換えて出力する制御手段を備えたことを特徴とする画像データ出力装置。
【請求項１１】
表示装置に画像データを出力するパーソナルコンピュータに用いられるコンピュータプログラムであって、
前記表示装置により表示すべき画像と相関のない画像データを出力するときに、予め定められた情報も出力する処理をコンピュータに実行させることを特徴とするコンピュータプログラム。
【請求項１２】
表示装置に画像データを出力するパーソナルコンピュータに用いられるコンピュータプログラムであって、
前記表示装置により表示すべき画像と相関のない画像データを出力することになったときに、その相関のない画像データを予め用意された画像データに置き換えて出力する処理をコンピュータに実行させることを特徴とするコンピュータプログラム。
【発明の詳細な説明】
【技術分野】
【０００１】
本発明は、パーソナルコンピュータ等から転送される画像データをプロジェクタ等により表示するようにした画像表示システム、画像データ出力装置、及びコンピュータプログラムに関する。
【背景技術】
【０００２】
会議等において、パーソナルコンピュータ（ＰＣ）上の画像データをプロジェクタによりスクリーンに投影して、プレゼンテーションを行うことが日常的になってきている。
【発明の開示】
【発明が解決しようとする課題】
【０００３】
会議等においてプレゼンテーションを行う場合、プレゼンテーションを行うユーザが個人のノート型ＰＣを持ち込むケースがある。
【０００４】
しかしながら、ノート型ＰＣにはカスタマイズ設定されたものも多く、ディスプレイを保護するためにスクリーンセイバー等が設定されていることもある。そして、スクリーンセイバー画像や壁紙として、プライベートな写真（例えば、家族の写真）が設定されていることがある。
【０００５】
この場合、プレゼンテーションの途中に議論等で画像の更新が行われない間にスクリーンセイバーが起動して、プライベートな写真のスクリーンセイバー画像がプロジェクタにより表示されてしまうことがあった。また、プレゼンテーションが終了した時に、画像表示を終了させると、プライベートな写真の壁紙が表示されてしまうことがあった。このように、会議等において、その雰囲気に調和しないプライベートな写真が表示されてしまうことがあった。
【０００６】
本発明は、上記のような点に鑑みてなされたものであり、会議等においてプレゼンテーションを行う場合に、パーソナルコンピュータ等の画像データ出力装置に設定されているスクリーンセイバー画像や壁紙が表示されないようにすることを目的とする。
【課題を解決するための手段】
【０００７】
本発明の画像表示システムは、画像データを出力する画像データ出力装置と、前記画像データ出力装置から転送される画像データを表示する表示装置とを備えた画像表示システムであって、前記画像データ出力装置は、前記表示装置により表示すべき画像と相関のない画像データを出力するときに、予め定められた情報も出力する点に特徴を有する。
本発明の他の画像表示システムは、画像データを出力する画像データ出力装置と、前記画像データ出力装置から転送される画像データを表示する表示装置とを備えた画像表示システムであって、前記画像データ出力装置は、前記表示装置により表示すべき画像と相関のない画像データを出力することになったときに、その相関のない画像データを予め用意された画像データに置き換えて出力する点に特徴を有する。
本発明の画像データ出力装置は、表示装置に画像データを出力する画像データ出力装置であって、前記表示装置により表示すべき画像と相関のない画像データを出力するときに、予め定められた情報も出力する制御手段を備えた点に特徴を有する。
本発明の他の画像データ出力装置は、表示装置に画像データを出力する画像データ出力装置であって、前記表示装置により表示すべき画像と相関のない画像データを出力することになったときに、その相関のない画像データを予め用意された画像データに置き換えて出力する制御手段を備えた点に特徴を有する。
本発明のコンピュータプログラムは、表示装置に画像データを出力するパーソナルコンピュータに用いられるコンピュータプログラムであって、前記表示装置により表示すべき画像と相関のない画像データを出力するときに、予め定められた情報も出力する処理をコンピュータに実行させる点に特徴を有する。
本発明の他のコンピュータプログラムは、表示装置に画像データを出力するパーソナルコンピュータに用いられるコンピュータプログラムであって、前記表示装置により表示すべき画像と相関のない画像データを出力することになったときに、その相関のない画像データを予め用意された画像データに置き換えて出力する処理をコンピュータに実行させる点に特徴を有する。
【発明の効果】
【０００８】
本発明によれば、画像データ出力装置は、表示装置により表示すべき画像と相関のない画像データを出力するときに、予め定められた情報を出力する。あるいは、相関のない画像データを出力することになったときに、その相関のない画像データを予め用意された画像データに置き換えて出力したりする。これにより、会議等においてプレゼンテーションを行う場合に、画像データ出力装置に設定されているスクリーンセイバー画像や壁紙が表示されないようにすることができる。
【発明を実施するための最良の形態】
【０００９】
以下、添付図面を参照して、本発明の好適な実施形態について説明する。
（第１の実施形態）
図１は、本実施形態に係る画像表示システムの概略構成を示す図である。図１において、１１は画像データ出力装置として機能するパーソナルコンピュータ（ＰＣ）、１２はイーサーネットケーブル、１３は表示装置として機能する液晶プロジェクタ、１４はスクリーンである。
【００１０】
プレゼンテーションを行うユーザは、ＰＣ１１上にプレゼンテーションデータを作成する。ＰＣ１１と液晶プロジェクタ１３とはイーサーネットケーブル１２を介して接続されており、ＰＣ１１からのプレゼンテーションデータは１枚ごとの画像データとして液晶プロジェクタ１３に転送される。液晶プロジェクタ１３は、ＰＣ１１から転送されるプレゼンテーションデータをスクリーン１４に投影して表示する。
【００１１】
ＰＣ１１には、出力画像は全て１枚の画像データ（例えばＪＰＥＧ画像データ）に変換するアプリケーションが格納されており、プレゼンテーション資料であるかは意識しないようになっている。
【００１２】
また、液晶プロジェクタ１３には、転送される画像データを表示データに変換するアプリケーションが格納されており、同様にプレゼンテーション資料であるかは意識しないようになっている。
【００１３】
図２には、ＰＣ１１の構成例を示す。同図に示すように、ＰＣ１１においては、ＣＰＵ１１０１と、ＲＯＭ１１０２と、ＲＡＭ１１０３と、キーボード（ＫＢ）１１０９のキーボードコントローラ（ＫＢＣ）１１０５とが、システムバス１１０４を介して互いに通信可能に接続されている。さらに、ＣＲＴディスプレイ（ＣＲＴ）１１１０のＣＲＴコントローラ（ＣＲＴＣ）１１０６とが、システムバス１１０４を介して互いに通信可能に接続されている。さらに、ハードディスク（ＨＤ）１１１１及びフレキシブルディスク（ＦＤ）１１１２のディスクコントローラ（ＤＫＣ）１１０７とが、システムバス１１０４を介して互いに通信可能に接続されている。さらに、ネットワーク接続のためのネットワークインターフェースコントローラ（ＮＩＣ）１１０８とが、システムバス１１０４を介して互いに通信可能に接続されている。
【００１４】
ＣＰＵ１１０１は、ＲＯＭ１１０２或いはＨＤ１１１１に記憶されたソフトウェア、或いはＦＤ１１１２より供給されるソフトウェアを実行することで、システムバス１１０４に接続された各構成部を総括的に制御する。すなわち、ＣＰＵ１１０１は、所定の処理シーケンスに従った処理プログラムを、ＲＯＭ１１０２、或いはＨＤ１１１１、或いはＦＤ１１１２から読み出して実行することで、本実施形態での処理動作を実現するための制御を行う。
【００１５】
ＲＡＭ１１０３は、ＣＰＵ１１０１の主メモリ或いはワークエリア等として機能する。ＫＢＣ１１０５は、ＫＢ１１０９や不図示のポインティングデバイス等からの指示入力を制御する。ＣＲＴＣ１１０６は、ＣＲＴ１１１０表示を制御する。ＤＫＣ１１０７は、ブートプログラム、種々のアプリケーション、編集ファイル、ユーザファイル、ネットワーク管理プログラム、及び本実施形態における所定の処理プログラム等を記憶するＨＤ１１１１及びＦＤ１１１２とのアクセスを制御する。ＮＩＣ１１０８は、ネットワーク上の装置或いはシステムと双方向にデータをやりとりする。
【００１６】
ここで、２００５年４月に、イーサーネット等のTCP/IP接続された液晶プロジェクタの接続、制御、コマンドの標準化が行われた規格「PJLink」が社団法人ビジネス機械・情報システム産業協会で制定された。
【００１７】
本実施形態では、「PJLink」に対応した液晶プロジェクタ１３を例にして説明する。図３に、PJLinkの映像音声ミュートコマンド（ＡＶＭＴ）のフレームを示す。同図において、上段がパラメータ、下段が実際のコードである。ここで、下段のコードは文字で表しているが、実際には１文字ごとにASCIIコードで構成される。
【００１８】
ヘッダは"％"の文字（ASCIIコード＝２５）で１バイトになる。クラスは現在まだ１つしか規格がないため"１"の文字（ASCIIコード＝３１）で１バイトになる。コマンドは"ＡＶＭＴ"の文字（ASCIIコード＝４１、５６、４ｄ、５４）で４バイトになる。セパレータはコマンドの場合は"スペース"の文字（ASCIIコード＝２０）で１バイトになる。送信パラメータは映像及び音声の両方のミュートを表す"３１"の文字（ASCIIコード＝３３、３１）で２バイトになる。終端は"ＣＲ"の文字（ASCIIコード＝０ｄ）で１バイトになる。ここで送信パラメータはコマンドごとに長さが可変であり、１２８バイトまで用いることができる。
【００１９】
ＰＣ１１上では、上記規格に沿ったコマンドを発行するPJLinkアプリケーションが実行される。図４には、ＰＣ１１のPJLinkアプリケーションによる処理動作を説明するフローチャートを示す。
【００２０】
プレゼンテーションの途中にユーザが議論等を始め、設定時間だけＰＣ１１の操作が行われないと、ＰＣ１１に設定されているスクリーンセイバーが起動する。PJLinkアプリケーションは、スクリーンセイバーの起動を検出すると（ステップＳ４０１）、図３に示すＡＶＭＴコマンド（映像、音声ミュート）を液晶プロジェクタ１３に送信する（ステップＳ４０２）。液晶プロジェクタ１３は、ＡＶＭＴコマンドを受信すると、映像及び音声をミュートする。すなわち、液晶プロジェクタ１３は、ＰＣ１１からスクリーンセイバー画像が転送されてきても、それをスクリーン１４に投影しない。
【００２１】
その後、ユーザがプレゼンテーションを再開したかどうかを検知する（ステップＳ４０３）。具体的にはＰＣ１１に接続されたマウスやキーボード等の操作が行われたかどうかを検知する。プレゼンテーションを再開したと検知されれば、PJLinkアプリケーションは、図３に示す送信パラメータを"３１"にしたＡＶＭＴコマンド（映像、音声ミュート解除）を液晶プロジェクタ１３に送信する（ステップＳ４０４）。液晶プロジェクタ１３は、ＡＶＭＴコマンドを受信すると、映像及び音声のミュートを解除する。すなわち、液晶プロジェクタ１３は、ＰＣ１１から転送される画像（プレゼンテーションデータ）をスクリーン１４に投影する。
【００２２】
本実施形態では、PJLinkコマンドのうちＡＶＭＴコマンドを用いたが、その他のコマンドを用いることによっても本発明による目的を達成することができる。例えば、液晶プロジェクタ１３の入力ポートを切り替えるＩＮＰＴコマンドを用いてもよい。この場合、PJLinkアプリケーションがイーサーネットではない入力ポートを指定することにより、スクリーンセイバー画像は投影されなくなる。また、液晶プロジェクタ１３の電源を制御するＰＯＷＲコマンドを用いてもよい。この場合、PJLinkアプリケーションが液晶プロジェクタ１３のスタンバイを指定することにより、スクリーンセイバー画像は投影されなくなる。
【００２３】
また、本発明による目的は、スクリーンセイバー画像を表示しないことである。したがって、スクリーンセイバー画像であることを通知するものであればよく、独自のコマンドを用いることによっても本発明による目的は達成される。液晶プロジェクタ１３は、スクリーンセイバー画像であることを示す独自のコマンドを受信した場合、予め用意しておいた画像に置き換えたり、ミュートしたりする。もちろん、本実施形態のように標準規格であるPJLinkコマンドを利用する場合、液晶プロジェクタ１３がPJLinkに対応していれば、映像及び音声をミュート等させるための特別な構成は不要であり、システム構成を簡易なものとすることができる。
【００２４】
また、スクリーンセイバー画像だけでなく、壁紙を表示させないように同様のコマンドを用いることができる。
【００２５】
（第２の実施形態）
上記第１の実施形態では、スクリーンセイバーが起動した時にコマンドを用いて通知することを説明したが、その場合、液晶プロジェクタ１３においてコマンドが実行されるまでの時間にスクリーンセイバー画像が表示されてしまう可能性がある。
【００２６】
通常、スクリーンセイバーはマウスやキーボードからの入力が行われない時間をカウントして、設定時間となったときに動作する。すなわち、スクリーンセイバーが起動する時間は予測可能であるので、その時間に合わせて液晶プロジェクタ１３の投影を停止させることが可能である。
【００２７】
図５には、ＰＣ１１のPJLinkアプリケーションによる処理動作を説明するフローチャートを示す。PJLinkアプリケーションは、ＯＳ（基本ソフトウェア）が実行しているスクリーンセイバーの設定値を取得する（ステップＳ５０１）。次に、カウント値を取得して（ステップＳ５０２）、設定値に近いかどうかを監視する（ステップＳ５０３）。
【００２８】
カウント値が設定値に近い場合、PJLinkアプリケーションは、ＡＶＭＴコマンド（映像、音声ミュート）を液晶プロジェクタ１３に送信する（ステップＳ５０４）。液晶プロジェクタ１３は、ＡＶＭＴコマンドを受信すると、映像及び音声をミュートする。すなわち、液晶プロジェクタ１３は、ＰＣ１１からスクリーンセイバー画像が転送される前に映像及び音声をミュートするので、その後スクリーンセイバー画像が転送されてきても、それをスクリーン１４に投影しない。
【００２９】
その後、ユーザがプレゼンテーションを再開したかどうかを検知する（ステップＳ５０５）。具体的にはＰＣ１１に接続されたマウスやキーボード等の操作が行われたかどうかを検知する。プレゼンテーションを再開したと検知されれば、PJLinkアプリケーションは、ＡＶＭＴコマンド（映像、音声ミュート解除）を液晶プロジェクタ１３に送信する（ステップＳ５０６）。液晶プロジェクタ１３は、ＡＶＭＴコマンドを受信すると、映像及び音声のミュートを解除する。すなわち、液晶プロジェクタ１３は、ＰＣ１１から送信される画像（プレゼンテーションデータ）をスクリーン１４に投影する。ユーザは画像が投影されてからプレゼンテーションを再開するので、ここではカウンタ値等は必要ない。
【００３０】
（第３の実施形態）
上記第１、２の実施形態では、コマンドを用いた例を説明したが、ＰＣ１１上のアプリケーションが、スクリーンセイバーに切り変るタイミングで、スクリーンセイバー画像を予め用意された他の画像に置き換えて出力するようにしてもよい。
【００３１】
なお、本発明の目的は、上述した実施形態の機能を実現するソフトウェアのプログラムコードを記録した記憶媒体を、システム或いは装置に供給する。そして、そのシステム或いは装置のコンピュータ（又はＣＰＵやＭＰＵ）が記憶媒体に格納されたプログラムコードを読み出し実行することによっても、達成されることは言うまでもない。
【００３２】
この場合、記憶媒体から読み出されたプログラムコード自体が上述した実施形態の機能を実現することになり、プログラムコード自体及びそのプログラムコードを記憶した記憶媒体は本発明を構成することになる。
【００３３】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００３４】
また、コンピュータが読み出したプログラムコードを実行することにより、上述した実施形態の機能が実現されるだけでない。例えば、そのプログラムコードの指示に基づき、コンピュータ上で稼動している基本システム或いはオペレーティングシステム等が実際の処理の一部又は全部を行い、その処理によって上述した実施形態の機能が実現される場合も含まれることは言うまでもない。
【００３５】
さらに、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００３６】
【図１】本実施形態に係る画像表示システムの概略構成を示す図である。
【図２】パーソナルコンピュータの構成例を示す図である。
【図３】PJLinkの映像音声ミュートコマンド（ＡＶＭＴ）のフレームを示す図である。
【図４】第１の実施形態におけるPJLinkアプリケーションによる処理動作を説明するフローチャートである。
【図５】第２の実施形態におけるPJLinkアプリケーションによる処理動作を説明するフローチャートである。
【符号の説明】
【００３７】
１１      パーソナルコンピュータ
１２      イーサーネットケーブル
１３      液晶プロジェクタ
１４      スクリーン
【図１】
2008026782.tif 000003
【図２】
2008026782.tif 000004
【図３】
2008026782.tif 000005
【図４】
2008026782.tif 000006
【図５】
2008026782.tif 000007